(57)【要約】【課題】収差補正素子により収差を良好に除去し且つ装置全体の厚みを抑える。【解決手段】光源が放射したレーザ光を該光ディスクに向かうよう偏向する偏向手段と、偏向されたレーザ光を該光ディスク上で結像させる結像手段と、結像手段との光学的な相対位置関係が所定の方向に関して一定に保持された、光源から該光ディスクに至る光路中で発生するレーザ光の収差を補正する収差補正手段とを備え、収差補正手段を光源と偏向手段の間の光路中に配置した光情報処理装置を提供する。【選択図】図５
2007193856.tif 000002
【特許請求の範囲】
【請求項１】
光ディスクに対する情報の記録処理又は再生処理を行う光情報処理装置において、
光源が放射したレーザ光を該光ディスクに向かうよう偏向する偏向手段と、
偏向されたレーザ光を該光ディスク上で結像させる結像手段と、
前記結像手段との光学的な相対位置関係が所定の方向に関して一定に保持された、前記光源から該光ディスクに至る光路中で発生するレーザ光の収差を補正する収差補正手段と、を備え、
前記収差補正手段を前記光源と前記偏向手段の間の光路中に配置したこと、を特徴とする光情報処理装置。
【請求項２】
該光ディスク上の所定位置でレーザ光が結像されるよう前記結像手段を移動させる第一の移動手段と、
前記結像手段との光学的な相対位置関係が一定に保持されるよう前記収差補正手段を移動させる第二の移動手段と、を更に備えたこと、を特徴とする請求項１に記載の光情報処理装置。
【請求項３】
前記第一の移動手段は前記結像手段を該光ディスクの半径方向に移動させること、を特徴とする請求項２に記載の光情報処理装置。
【請求項４】
前記第二の移動手段は前記収差補正手段を該光ディスクの面と直交する方向に移動させること、を特徴とする請求項２又は請求項３の何れかに記載の光情報処理装置。
【請求項５】
前記第二の移動手段は前記収差補正手段を該光ディスクの半径方向に移動させること、を特徴とする請求項２又は請求項３の何れかに記載の光情報処理装置。
【請求項６】
光源が放射したレーザ光を光ディスクに向かうよう偏向する偏向手段と、偏向されたレーザ光を該光ディスク上で結像させる結像手段と、前記光源から該光ディスクに至る光路中で発生するレーザ光の収差を補正する収差補正手段と、を有し、該レーザ光が該光ディスク上の所定位置で結像されるよう前記結像手段を移動させて当該光ディスクに対する情報の記録処理又は再生処理を行う光情報処理装置において、
前記収差補正手段を前記結像手段に対して独立して別個に移動させる移動手段と、
前記収差補正手段と前記結像手段との光学的な相対位置関係が所定の方向に関して一定に保持されるよう前記移動手段を制御する移動制御手段と、を備え、
前記収差補正手段を前記光源と前記偏向手段の間の光路中に配置したこと、を特徴とする光情報処理装置。
【請求項７】
前記結像手段の位置情報を検出する位置情報検出手段を更に備え、
前記移動制御手段は、検出された位置情報に基づいて前記移動手段を制御すること、を特徴とする請求項６に記載の光情報処理装置。
【請求項８】
前記移動手段は前記収差補正手段を該光ディスクの面と直交する方向に移動させること、を特徴とする請求項６又は請求項７の何れかに記載の光情報処理装置。
【発明の詳細な説明】
【技術分野】
【０００１】
この発明は、光ディスクに対する情報の記録処理及び再生処理を行う光情報処理装置、特に、光源が放射したレーザ光を光ディスクに向かうよう偏向する偏向手段と、偏向されたレーザ光を該光ディスク上で結像させる結像手段と、光源から該光ディスクに至る光路中で発生するレーザ光の収差を補正する収差補正手段とを有し、該レーザ光が該光ディスク上の所定位置で結像されるよう結像手段を移動させて当該光ディスクに対する情報の記録処理及び再生処理を行う光情報処理装置に関する。
【背景技術】
【０００２】
近年、ＢＤ（Blu-Ray Disc）やＨＤ ＤＶＤ（High Definition DVD）等の記録密度の高い光ディスクが規格化され、それらを処理（ここでいう「処理」とは再生や記録等を含む）するための光情報処理装置が広く知られている。このような光情報処理装置には高ＮＡの対物レンズが搭載される。また短波長の光ビームが使用される。このように高ＮＡの対物レンズ及び短波長の光ビームを用いることにより、光情報処理装置は光ディスク上に極小のビームスポットを形成して、当該光ディスク上の高密度化された情報を処理することができる。
【０００３】
ところが、対物レンズのＮＡを高く設計したり短波長の光ビームを使用したりした場合、ビームスポットに対する収差（例えば球面収差）の影響が大きくなる。すなわち僅かな誤差で発生した収差が良好なビームスポット形成に大きく影響を及ぼし得る。この結果、光情報処理装置による光ディスクに対する処理にエラーが生じ易くなる。
【０００４】
装置側の誤差に関しては出荷時の調整作業で予め除去することができる。このような誤差には例えば対物レンズの製造誤差等が挙げられる。このような誤差は例えば対物レンズの軸合わせやティルト調整等を行うことで除去可能である。
【０００５】
一方、光ディスク側の誤差に関しては装置側の調整作業で除去することができない。このため、光ディスク側に依存した上記誤差により収差が発生してビームスポットが劣化し、その結果、光ディスクに対する処理が良好に行われないことがある。なお、光ディスク側の誤差には例えば光ディスクの個体差、記録層の厚み誤差、ムラ等が挙げられる。
【０００６】
このような問題を解消すべく、例えば収差補正用の液晶素子を実装した光情報処理装置が下記特許文献１に示されている。下記特許文献１に記載の光情報処理装置では、液晶素子の各電極にそれぞれ異なる電圧を印加して各液晶分子の配向状態を調節し、当該液晶素子を通過する光ビームの位相をずらすことにより収差補正が実現されている。光ディスクがセットされたときに当該光ディスクの誤差を検出し、その検出結果に応じて位相シフト量を決定するため、光ディスク側の誤差は良好に除去される。
【０００７】
ここで、下記特許文献１に記載されているように、液晶素子により収差を良好に補正するため、対物レンズと液晶素子の位置関係は一定であることが要求される。従って下記特許文献１では、液晶素子が対物レンズに固定されて一つのユニットとして構成されている。この構成では液晶素子と対物レンズは一体に移動するため、互いの位置関係は常に一定に保たれている。これにより、良好な収差補正が実現されている。
【特許文献１】特開２００２−５６５６５号公報
【発明の開示】
【発明が解決しようとする課題】
【０００８】
ノートＰＣ等の薄型端末には一般に「スリムサイズ」や「ウルトラスリム」と呼ばれる極めて薄いＯＤＤ（Optical Disk Drive）が実装されている。しかし上記特許文献１に記載された光情報処理装置では、液晶素子を追加したことにより当該装置全体の厚みが増加している。このため上記特許文献１に記載された光情報処理装置では、上記の薄型サイズを実現することが困難であった。
【０００９】
そこで、本発明は上記の事情に鑑みて、収差補正素子により収差を良好に除去し、且つ、装置全体の厚みを抑えることができる光情報処理装置を提供することを課題としている。
【課題を解決するための手段】
【００１０】
上記の課題を解決する本発明の一態様に係る光情報処理装置は、光ディスクに対する情報の記録処理又は再生処理を行う装置である。この光情報処理装置は、光源が放射したレーザ光を該光ディスクに向かうよう偏向する偏向手段と、偏向されたレーザ光を該光ディスク上で結像させる結像手段と、結像手段との光学的な相対位置関係が所定の方向に関して一定に保持された、光源から該光ディスクに至る光路中で発生するレーザ光の収差を補正する収差補正手段とを備えており、収差補正手段を光源と偏向手段の間の光路中に配置したことを特徴としたものである。
【００１１】
上記光情報処理装置によれば、該レーザ光の光路において結像手段と収差補正手段とが偏向手段を挟んで配置されている。このため結像手段と収差補正手段が装置の厚み方向に並んで配置されることがない。従って光情報処理装置によれば、収差補正素子により収差を良好に除去し、且つ、装置全体の厚みを抑えることが可能である。
【００１２】
なお上記光情報処理装置は、例えば該光ディスク上の所定位置でレーザ光が結像されるよう結像手段を移動させる第一の移動手段と、結像手段との光学的な相対位置関係が一定に保持されるよう収差補正手段を移動させる第二の移動手段を更に備えたものであっても良い。
【００１３】
上記光情報処理装置によれば、収差補正手段が結像手段に対して独立して別個に移動可能に構成されている。すなわち結像手段と収差補正手段とが分離した構成で移動するため、結像手段が軽量化してその追従性が向上する。つまり、結像手段の応答速度が向上して精密且つ高速に移動できるようになる。
【００１４】
また上記光情報処理装置によれば、第一の移動手段は結像手段を該光ディスクの半径方向に移動させることができる。
【００１５】
また上記光情報処理装置によれば、第二の移動手段は収差補正手段を該光ディスクの面と直交する方向に移動させることができる。また、別の形態によれば、第二の移動手段は収差補正手段を該光ディスクの半径方向に移動させることができる。
【００１６】
また上記の課題を解決する本発明の別の態様に係る光情報処理装置は、光源が放射したレーザ光を光ディスクに向かうよう偏向する偏向手段と、偏向されたレーザ光を該光ディスク上で結像させる結像手段と、光源から該光ディスクに至る光路中で発生するレーザ光の収差を補正する収差補正手段とを有し、該レーザ光が該光ディスク上の所定位置で結像されるよう結像手段を移動させて当該光ディスクに対する情報の記録処理又は再生処理を行う装置である。この光情報処理装置は、収差補正手段を結像手段に対して独立して別個に移動させる移動手段と、収差補正手段と結像手段との光学的な相対位置関係が所定の方向に関して一定に保持されるよう移動手段を制御する移動制御手段とを備えたものであり、収差補正手段を光源と偏向手段の間の光路中に配置したことを特徴としたものである。
【００１７】
上記光情報処理装置によれば、該レーザ光の光路において結像手段と収差補正手段とが偏向手段を挟んで配置されている。このため結像手段と収差補正手段が装置の厚み方向に並んで配置されることがない。従って光情報処理装置によれば、収差補正素子により収差を良好に除去し、且つ、装置全体の厚みを抑えることが可能である。また、収差補正手段が結像手段に対して独立して別個に移動可能に構成されている。すなわち結像手段と収差補正手段とが分離した構成で移動するため、結像手段が軽量化してその追従性が向上する。つまり、結像手段の応答速度が向上して精密且つ高速に移動できるようになる。
【００１８】
なお上記光情報処理装置は、例えば結像手段の位置情報を検出する位置情報検出手段を更に備えたものであっても良い。この場合、移動制御手段は、検出された位置情報に基づいて移動手段を制御することができる。
【００１９】
また上記光情報処理装置によれば、移動手段は収差補正手段を該光ディスクの面と直交する方向に移動させることができる。
【発明の効果】
【００２０】
本発明に係る光情報処理装置によれば、レーザ光の光路において結像手段と収差補正手段とが偏向手段を挟んで配置されている。このため結像手段と収差補正手段が装置の厚み方向に並んで配置されることがない。従って光情報処理装置によれば、収差補正素子により収差を良好に除去し、且つ、装置全体の厚みを抑えることが可能である。
【発明を実施するための最良の形態】
【００２１】
以下、図面を参照して、本発明の実施の形態の光情報処理装置の構成及び作用について説明する。
【００２２】
図１は、本発明の第一の実施例の光情報処理装置１００の構成を示した斜視図である。光情報処理装置１００は筐体１を備えている。筐体１にはスロット１ａが形成されている。また図示しないトレイが、スロット１ａを介して筐体１に対し収納／排出可能に備えられている。なお図１では、トレイ上に載置された光ディスク２００が筐体１内部に収納されている状態が示されている。上記収納状態において光ディスク２００はスピンドルモータ７０にセットされている。光ディスク２００はスピンドルモータ７０により回転軸７０ａを中心に回転する。なお光ディスク２００は、例えばＢＤやＨＤ ＤＶＤ等の記録密度の高い光ディスクである。
【００２３】
光情報処理装置１００は固定ユニット１０及び可動ユニット３０を備えている。図２に、固定ユニット１０及び可動ユニット３０の構成を示す。これらのユニットは筐体１に保持されている。
【００２４】
固定ユニット１０は、レーザダイオード１１、コリメータレンズ１２、第一のアナモフィックプリズム１３、ハーフミラー１３ａ、第二のアナモフィックプリズム１４、ミラー１５、直角プリズム１６、ホログラム素子１７、集光レンズ１８、複合センサ１９、及び、レーザパワーモニタセンサ２０を備えている。
【００２５】
レーザダイオード１１は断面形状が楕円の発散レーザ光を放射する。この発散レーザ光は短波長（例えば４００ｎｍ近傍）である。レーザダイオード１１から放射された発散レーザ光はコリメータレンズ１２に入射する。コリメータレンズ１２は、レーザダイオード１１から放射された発散レーザ光を平行光束に変換する。平行光束に変換された平行光束は第一のアナモフィックプリズム１３に入射する。
【００２６】
第一のアナモフィックプリズム１３及び第二のアナモフィックプリズム１４は、コリメータレンズ１２からの平行光束を断面形状が略円形状となる平行光束に整形する。次いで、断面形状が略円形状に整形された平行光束はミラー１５に入射する。また第一のアナモフィックプリズム１３に入射された平行光束の一部はハーフミラー１３ａによって９０度折り曲げられて、レーザパワーモニタセンサ２０に入射する。
【００２７】
レーザパワーモニタセンサ２０は、受光した光の強度に応じた信号をレーザパワーコントロール回路（不図示）に出力する。レーザパワーコントロール回路は受け取ったこの信号のレベルに基づいてフィードバック制御を行って、レーザダイオード１１の出力を安定させる。
【００２８】
一方、ミラー１５は第二のアナモフィックプリズム１４から出射された平行光束を９０度折り曲げる。折り曲げられたレーザ光は固定ユニット１０から出射されて、可動ユニット３０に入射する。
【００２９】
可動ユニット３０はキャリッジ３１を備えている。キャリッジ３１は、各端部が筐体１の所定箇所に固定されたガイドシャフト３３Ｒ及び３３Ｌにより、光ディスク２００の半径方向（すなわちトラッキング方向であり、各図で示されている矢印Ｔ方向）にスライド可能に支持されている。また、可動ユニット３０をトラッキング方向に移動させるための駆動手段がキャリッジ３１を挟むように設置されている。具体的には、ガイドシャフト３３Ｒ側に筐体１の所定箇所に固定されたヨーク３４Ｒ及びヨーク３４Ｒが挿通されたコイル３５Ｒ、ガイドシャフト３３Ｌ側に筐体１の所定箇所に固定されたヨーク３４Ｌ及びヨーク３４Ｌが挿通されたコイル３５Ｌが設置されている。図示しない駆動制御回路によりキャリッジ３１に固定されたコイル３５Ｒ及び３５Ｌに電流が流れると電磁作用により推力が発生し、これにより、キャリッジ３１がトラッキング方向に移動する。
【００３０】
また、キャリッジ３１は固定ユニット１０と対向する壁部に開口部３１ａを有している。固定ユニット１０から出射されたレーザ光は、開口部３１ａを介してキャリッジ３１内部に入射する。
【００３１】
図３に、キャリッジ３１の一部を切り取った、可動ユニット３０の斜視図を示す。また図４に、可動ユニット３０の断面図を示す。図３において説明の便宜上、キャリッジ３１を上下に二つに分割して示している。
【００３２】
キャリッジ３１内部には収差補正ユニット４０、１／４波長板４２、立ち上げミラー３２、及び、対物レンズユニット５０が設置されている。収差補正ユニット４０、１／４波長板４２、立ち上げミラー３２は、光ディスク２００の面と平行な方向に並ぶよう配置されている。また立ち上げミラー３２と対物レンズユニット５０は、光ディスク２００の面と直交する方向に並ぶよう配置されている。開口部３１ａを介してキャリッジ３１内部に入射したレーザ光は収差補正ユニット４０に入射する。
【００３３】
収差補正ユニット４０は液晶収差補正素子４１を備えている。液晶収差補正素子４１は枠４０ａに取り付けられている。
【００３４】
液晶収差補正素子４１は周知の構成を有し、矢印Ｆに平行で且つ矢印Ｔに直交した面上に配置された板状の素子である。液晶収差補正素子４１は、印加電圧量に応じて発生する電界により入射レーザ光に対して複屈折変化を与える液晶を有している。すなわち液晶収差補正素子４１において印加電圧量に応じて発生する電界により、上記液晶を構成する複数の液晶分子の各々の配向状態が変化する。各液晶分子の配向状態を変化させることにより、それら液晶分子を通過する光が複屈折変化を受ける。この結果、その光の位相が変化する。ここで、入射レーザ光の位相の変化はその光の収差の変化も意味する。このため液晶収差補正素子４１によって位相を適切な量変化させることにより、収差（主に球面収差）を補正することが可能である。
【００３５】
また、液晶収差補正素子４１は電界を発生させるための電極を複数有している。これらの電極は液晶収差補正素子４１上に分布するよう配置されている。従って各電極に電圧を印加したとき、液晶収差補正素子４１上において、液晶分子の配向状態が各電極に対する印加電圧量に応じて分布する。レーザ光が有する収差分布に応じて上記配向状態が液晶収差補正素子４１上で分布するよう電圧制御することにより、光路中に生じたレーザ光の収差が良好に補正される。
【００３６】
なお可動ユニット３０は、上記駆動制御回路に接続されたフレキシブル基板３６を有している。可動ユニット３０の各構成要素は、フレキシブル基板３６を介して入力される信号により作動する。
【００３７】
液晶収差補正素子４１を通過したレーザ光は直線偏光状態にある。このような偏光状態のレーザ光は、キャリッジ３１に保持された１／４波長板４２により円偏光に変換されて立ち上げミラー３２に入射する。次いで、立ち上げミラー３２により垂直方向（光ディスク２００の面と直交する方向）に立ち上げられて対物レンズユニット５０に入射する。
【００３８】
対物レンズユニット５０は対物レンズホルダ５１を備えている。対物レンズホルダ５１は対物レンズ５２を保持している。対物レンズ５２は高ＮＡ（例えばＮＡ＝０．８５）に設計されている。なお、図４に示された対物レンズ５２及び液晶収差補正素子４１の位置はそれぞれの基準位置である。対物レンズ５２の基準位置とは、対物レンズ５２の光軸が、光情報処理装置１００全体の光軸（各図において一点鎖線で示された軸）と一致したときの位置である。また液晶収差補正素子４１の基準位置とは、液晶収差補正素子４１の中心４１ｃが、光情報処理装置１００全体の光軸上に存在するときの位置である。
【００３９】
立ち上げミラー３２により立ち上げられたレーザ光は対物レンズ５２に入射して、微小なビームスポットとして光ディスク２００上に集光される。なお光ディスク２００は、薄膜の記録層２００ａ及び情報が記録されるディスク基板２００ｂを有している。上記ビームスポットは、より正確には記録層２００ａ上に形成される。
【００４０】
すなわち対物レンズ５２から出射したレーザ光は、各光学系及び液晶収差補正素子４１の作用により、収差が補正された状態で光ディスク２００上に結像する。次いで、当該光ディスク２００により反射される。光ディスク２００により反射されたレーザ光は可動ユニット３０を介して、固定ユニット１０に戻り光として入射する。次いで、その戻り光はミラー１５により９０度折り曲げられて第二のアナモフィックプリズム１４に導かれる。第二のアナモフィックプリズム１４を透過した戻り光は、ハーフミラー１３ａにより９０度折り曲げられて、直角プリズム１６、ホログラム素子１７に入射する。
【００４１】
ホログラム素子１７は光束分離素子である。第一の実施例においてホログラム素子１７は、直角プリズム１６を介して入射した戻り光を、それぞれ異なる方向に向かう三つの光束に分離させる。三つに分離された光束は、集光レンズ１８を介して複合センサ１９に入射する。
【００４２】
複合センサ１９は、図示しないサーボ用受光素子及びデータ用受光素子を備えている。これらの受光素子は、ホログラム素子１７により分離された三つの光束の並びに沿って配置されている。上記三つの光束のうちの一つがデータ用受光素子に受光されて、光ディスク２００の情報信号として演算処理される。
【００４３】
また、ホログラム素子１７により分離された光束のうちの残りの二つは、サーボ用受光素子に受光される。このサーボ用受光素子の出力が図示しない演算部によって演算処理されて、フォーカスエラー信号及びトラッキングエラー信号として検出される。各エラー信号に基づいて対物レンズユニット５０の二軸のアクチュエータが駆動され、トラッキング等の対物レンズ５２の位置に関する微小調整が行われる。
【００４４】
ここで、対物レンズユニット５０の二軸のアクチュエータについて説明する。図５及び６に、キャリッジ３１内部の各構成要素の分解斜視図を示す。なお対物レンズユニット５０の二軸のアクチュエータには、コイルそのものが移動する所謂ムービングコイル方式のものが採用されている。
【００４５】
対物レンズユニット５０は、対物レンズホルダ５１、対物レンズ５２に加えて、アクチュエータベース５３、ワイヤ５４、ワイヤ固定ブロック５５、フォーカスコイル５６、フォーカスマグネット５７、トラッキングコイル５８、及び、トラッキングマグネット５９を備えている。
【００４６】
アクチュエータベース５３はキャリッジ３１に保持されている。対物レンズホルダ５１はアクチュエータベース５３上において移動可能に載置されている。対物レンズホルダ５１には、矢印Ｔと直交する方向において対物レンズ５２を挟むよう一対のフォーカスコイル５６が巻き付けられている。また矢印Ｔ方向において対物レンズ５２を挟むよう一対のトラッキングコイル５８が巻き付けられている。
【００４７】
また対物レンズホルダ５１の両サイドにはワイヤ５４が二本ずつ取り付けられている。これらのワイヤ５４の各々はその一端が対物レンズホルダ５１に取り付けられ、もう一端が、キャリッジ３１に保持されたワイヤ固定ブロック５５に取り付けられている。またこれらのワイヤ５４は例えば導電部材から成る。フォーカスコイル５６、トラッキングコイル５８の各々には、上記駆動制御回路によりワイヤ５４を介して電流が供給される。
【００４８】
アクチュエータベース５３には４つのフォーカスマグネット５７が固定されている。これらのフォーカスマグネット５７は、矢印Ｔと直交する方向において対物レンズホルダ５１を挟むよう、その両脇に二つずつ配置されている。また各々の固定箇所においてフォーカスマグネット５７は矢印Ｆ方向（すなわちフォーカス方向であり、光ディスク２００の面と直交する方向）に並ぶよう配置されている。各フォーカスマグネット５７にはフォーカスコイル５６が近接して位置する。
【００４９】
フォーカスコイル５６に電流が供給されると、それにより発生する磁力と、フォーカスコイル５６に近接するフォーカスマグネット５７の磁力との間に発生する推力（反発力、吸引力）により、対物レンズホルダ５１が移動する。このとき対物レンズホルダ５１は、フォーカスコイル５６とフォーカスマグネット５７の位置関係により、ワイヤ５４を撓ませつつフォーカス方向（すなわち矢印Ｆ方向）にのみ平行移動する。その移動範囲は、対物レンズホルダ５１がアクチュエータベース５３上に載置された位置から、上記推力がワイヤ５４の復元力と釣り合う位置までである。対物レンズホルダ５１のフォーカス方向の移動量は上記フォーカスエラー信号に基づいて決定される。対物レンズ５２は、このようなフォーカシング動作により、好適なビームスポットを光ディスク２００上に形成することができる。
【００５０】
またアクチュエータベース５３には４つのトラッキングマグネット５９が固定されている。これらのトラッキングマグネット５９は、矢印Ｔ方向において対物レンズホルダ５１を挟むよう、その両脇に二つずつ配置されている。また各々の固定箇所においてトラッキングマグネット５９は、フォーカスマグネット５７を挟んで矢印Ｔ方向に並ぶよう配置されている。各トラッキングマグネット５９にはトラッキングコイル５８が近接して位置する。
【００５１】
トラッキングコイル５８に電流が供給されると、それにより発生する磁力と、トラッキングコイル５８に近接するトラッキングマグネット５９の磁力との間に発生する推力により、対物レンズホルダ５１が移動する。このとき対物レンズホルダ５１は、トラッキングコイル５８とトラッキングマグネット５９の位置関係により、ワイヤ５４を撓ませつつトラッキング方向（すなわち矢印Ｔ方向）にのみ平行移動する。その移動範囲は、上記推力とワイヤ５４の復元力との釣り合い位置によって決定される。対物レンズホルダ５１のトラッキング方向の移動量は上記トラッキングエラー信号に基づいて決定される。対物レンズ５２は、このようなトラッキング動作により、光ディスク２００上の適正な位置にビームスポットを形成することができる。
【００５２】
なお、各フォーカスコイル５６及びトラッキングコイル５８に電流が供給されていない状態（すなわちアクチュエータ非駆動時）では、対物レンズユニット５０は上記基準位置（すなわち図４に示された位置）に位置する。
【００５３】
第一の実施例では対物レンズホルダ５１を軽量化させる観点から、対物レンズホルダ５１は、所謂エンジニアリングプラスチック等から成る樹脂成型品である。従って、フォーカスコイル５６、トラッキングコイル５８の各々は中空のコイルとして作用する。
【００５４】
なお、対物レンズユニット５０は、一対の周知の反射型フォトインタラプタ６０を更に備えている。反射型フォトインタラプタ６０は、投射光を投射する投光部６０ａ、及び、その投射光を受光するための受光部６０ｂを有している。これらの反射型フォトインタラプタ６０はそれぞれ、対物レンズホルダ５１の各壁部５１ａに対向するよう設置されている。
【００５５】
対物レンズホルダ５１の壁部５１ａは平面反射面を有しており、投光部６０ａから投射された投射光を反射させることができる。この反射光が受光部６０ｂに受光されると、その反射面までの距離に比例した強度変化に応じた信号が生成されて上記駆動制御回路に出力される。駆動制御回路は各反射型フォトインタラプタ６０からの信号に基づいて、上記基準位置に対する対物レンズユニット５０のトラッキング方向の変位を検出する。変位検出等の制御に関しては、本出願人により実開平５−２１３３１号公報において開示されている。
【００５６】
次に、収差補正ユニット４０について詳説する。第一の実施例では光情報処理装置１００を薄型化させ、更には対物レンズユニット５０を軽量化させるため、当該対物レンズユニット５０と収差補正ユニット４０とが互いに独立したユニットとして構成されている。
【００５７】
先ず、収差補正ユニット４０の構成について説明する。
【００５８】
矢印Ｔ及びＦと直交する方向において、枠４０ａの両側面には液晶駆動用マグネット４３が二つずつ取り付けられている。また各々の固定箇所において、液晶駆動用マグネット４３は矢印Ｆ方向に並ぶよう配置されている。
【００５９】
各液晶駆動用マグネット４３近傍には、液晶収差補正素子４１を挟んで一対の液晶駆動用コイル４４が設置されている。これらの液晶駆動用コイル４４はキャリッジ３１に保持されている。また、これらの液晶駆動用コイル４４は中空コイルであり、上記駆動制御回路に接続されている。
【００６０】
また、液晶収差補正素子４１は、矢印Ｔ及びＦに直交する方向に延在する一対の板バネ４５に狭持されている。これらの板バネ４５の一端はキャリッジ３１に保持されている。液晶収差補正素子４１への給電は、例えば板バネ４５に形成された電極パターンを用いて行われる。
【００６１】
次に、収差補正ユニット４０の動作について説明する。なお収差補正ユニット４０では、マグネットそのものが移動する、所謂ムービングマグネット方式のアクチュエータが採用されている。
【００６２】
液晶駆動用コイル４４に電流が供給されると、それにより発生する磁力と、液晶駆動用コイル４４に近接する液晶駆動用マグネット４３の磁力との間に発生する推力により、液晶駆動用マグネット４３（及び、枠４０ａ、液晶収差補正素子４１）が移動する。このときこれらの部材は、液晶駆動用マグネット４３と液晶駆動用コイル４４の位置関係により、板バネ４５を撓ませつつ矢印Ｔ’方向にのみ平行移動する。その移動範囲は、上記推力と板バネ４５の復元力との釣り合い位置によって決定される。なお説明の便宜上、推力により移動する部材、すなわち枠４０ａ、液晶収差補正素子４１、及び、液晶駆動用マグネット４３を「液晶可動部４０Ｍ」と記す。
【００６３】
各液晶駆動用コイル４４に電流が供給されていない状態（すなわちアクチュエータ非駆動時）では、液晶可動部４０Ｍは上記基準位置に位置する。
【００６４】
ここで、液晶可動部４０Ｍの矢印Ｔ’方向の移動量は、反射型フォトインタラプタ６０を用いて検出された対物レンズユニット５０の上記変位に基づいて決定される。図７（ａ）〜（ｃ）に、対物レンズユニット５０に対する液晶可動部４０Ｍの位置追従を説明するための図を示す。図７（ａ）〜（ｃ）では図面の簡略化のため、上記位置追従の説明に不要とされる構成についてはその図示を省略している。また説明の便宜上、対物レンズ５２の光軸に「Ｏ１」、液晶収差補正素子４１の中心４１ｃを通り且つ光軸Ｏ１に平行な軸に「Ｏ２」を付している。光軸Ｏ１と軸Ｏ２が一致した状態（例えば図７（ａ）の状態）において、液晶収差補正素子４１は収差補正を良好に行うことができる。
【００６５】
上記駆動制御回路は、先ず、上記基準位置に対する対物レンズユニット５０のトラッキング方向の変位、すなわち対物レンズユニット５０の位置情報を反射型フォトインタラプタ６０の出力を基に算出する。次いで、算出された位置情報に基づいて液晶駆動用コイル４４に供給すべき電流値を設定する。このように設定された電流が液晶駆動用コイル４４に供給されると、発生される推力により板バネ４５が撓む。これにより、トラッキング方向において対物レンズユニット５０の光軸と液晶収差補正素子４１の中心４１ｃとが一致するよう、液晶可動部４０Ｍが移動する。すなわち、対物レンズユニット５０に対する液晶可動部４０Ｍの位置追従が実行される。
【００６６】
例えば図７（ｂ）に示されるように、対物レンズユニット５０がトラッキング方向Ｔ沿いに光ディスク２００内周側に向かって図７（ａ）の位置から距離ｄ移動したとき、上記駆動制御回路は、各反射型フォトインタラプタ６０の出力に基づいて液晶可動部４０Ｍを追従させようと作動する。
【００６７】
すなわち上記駆動制御回路は、各反射型フォトインタラプタ６０の出力強度を取得して対物レンズユニット５０の位置情報を算出する。次いで、対物レンズユニット５０と液晶収差補正素子４１との光学的な相対位置関係を光ディスク２００のトラッキング方向に関して一定に保つため、算出された位置情報に基づいて液晶駆動用コイル４４に所定レベルの電流を供給する。これにより、液晶可動部４０Ｍが、矢印Ｔ１’方向（光ディスク２００と直交し且つ光ディスク２００に近付く方向）に図７（ａ）の位置から距離ｄ動く。すなわち上記駆動制御回路は、光軸Ｏ１と軸Ｏ２とを一致させるよう液晶可動部４０Ｍを移動させる。このようにして、対物レンズユニット５０に対する液晶可動部４０Ｍの位置追従が果たされる。
【００６８】
また例えば図７（ｃ）に示されるように、対物レンズユニット５０がトラッキング方向Ｔ沿いに光ディスク２００外周側に向かって図７（ａ）の位置から距離ｄ移動したとき、上記駆動制御回路は、各反射型フォトインタラプタ６０の出力に基づいて液晶可動部４０Ｍを追従させようと作動する。
【００６９】
この場合も上記駆動制御回路は、各反射型フォトインタラプタ６０の出力強度を取得して対物レンズユニット５０の位置情報を算出する。次いで、対物レンズユニット５０と液晶収差補正素子４１との光学的な相対位置関係を光ディスク２００のトラッキング方向に関して一定に保つため、算出された位置情報に基づいて液晶駆動用コイル４４に所定レベルの電流を供給する。これにより、液晶可動部４０Ｍが、矢印Ｔ２’方向（光ディスク２００と直交し且つ光ディスク２００から離れる方向）に図７（ａ）の位置から距離ｄ動く。すなわちこの場合も上記駆動制御回路は、光軸Ｏ１と軸Ｏ２とを一致させるよう液晶可動部４０Ｍを移動させる。このようにして、対物レンズユニット５０に対する液晶可動部４０Ｍの位置追従が果たされる。
【００７０】
対物レンズユニット５０に対する液晶可動部４０Ｍの位置追従は常に行われている。従って、対物レンズユニット５０の光軸と液晶収差補正素子４１の中心４１ｃは、トラッキング方向において常に一致する。対物レンズユニット５０と液晶収差補正素子４１との光学的な相対位置関係が常に一定であるため、液晶収差補正素子４１による収差補正は常に良好に行われる。
【００７１】
また、対物レンズユニット５０と収差補正ユニット４０とを互いに独立したユニットとして構成することにより、光情報処理装置１００の薄型化が実現されている。すなわち第一の実施例では、対物レンズユニット５０と収差補正ユニット４０とを分離した構造としたことにより、対物レンズユニット５０と収差補正ユニット４０とを同一方向沿いに配列することなく、互いに異なる方向に配列することが実現されている。第一の実施例では、収差補正ユニット４０は、他の構成要素と共に光ディスク２００の面と平行な方向に並ぶよう配置されている。これに対して対物レンズユニット５０は、他の構成要素と共に光ディスク２００の面と直交する方向に並ぶよう配置されている。つまり第一の実施例では光ディスク２００の面と直交する方向（すなわち光情報処理装置１００の厚み方向）に関して、収差補正ユニット４０が対物レンズユニット５０と並ぶよう配置されていない。これにより、可動ユニット３０の薄型化が実現され、この結果、光情報処理装置１００全体の薄型化も実現されている。
【００７２】
また、対物レンズユニット５０と収差補正ユニット４０とを互いに独立したユニットとして構成することにより、対物レンズユニット５０の軽量化が実現されている。このため光ディスク２００のトラッキング方向に対する対物レンズユニット５０の追従性が向上する。すなわち対物レンズユニット５０の応答速度が向上して精密且つ高速に移動できるようになる。これにより、光ディスクの高密度化や回転速度の高速化に十分に対応可能な光情報処理装置の提供が可能となる。
【００７３】
次に、本発明の第二の実施例の光情報処理装置の構成及び作用について説明する。
【００７４】
図８に、第二の実施例の光情報処理装置１００ｚの構成を示す。光情報処理装置１００ｚは、光ディスクの接線方向（タンジェンシャル方向）において、光源から対物レンズに対してレーザ光が入射されるタイプである。このタイプは薄型化に優位性を持つ。なお、以降の図（図８〜１０）に示される光情報処理装置１００ｚにおいて、第一の実施例の光情報処理装置１００と同一又は同様の構成については同一又は同様の符号を付してここでの説明を省略する。また、図８〜１０では図面の簡略化のため、第一の実施例の説明と重複する構成についてその一部の図示を省略している。
【００７５】
図８（ａ）に、第二の実施例の光情報処理装置１００ｚの斜視図を示す。光情報処理装置１００ｚは可動ユニット１３０を備えている。可動ユニット１３０はキャリッジ１３１を有している。キャリッジ１３１は、各端部が筐体１の所定箇所に固定されたガイドシャフト１３３Ｒ及び１３３Ｌにより、光ディスク２００の半径方向（すなわちトラッキング方向であり、各図で示されている矢印ＴＴ方向）にスライド可能に支持されている。キャリッジ１３１は、可動ユニット１３０の各構成要素を保持し、図示しない駆動手段により矢印ＴＴ方向にスライドし得る。
【００７６】
図８（ｂ）に、可動ユニット１３０及びその周辺構造の断面を示す。また図９に、図８に対して更に簡略化した光情報処理装置１００ｚの上面図を示す。これらの図面に示されるように、キャリッジ１３１は、レーザダイオード１１１、アナモフィックプリズム１１２、コリメータレンズ１１３、エラー検出用レンズ１１４、フォトセンサ１１５、立ち上げミラー１３２、及び、１／４波長板１４２を保持している。またキャリッジ１３１は、液晶収差補正素子１４１、及び、対物レンズユニット１５０を移動自在に保持している。液晶収差補正素子１４１や対物レンズユニット１５０は、上述の如きムービングマグネット方式やムービングコイル方式のアクチュエータ（不図示）により所定の方向に移動し得る。なお対物レンズユニット１５０は、対物レンズホルダ１５１、及び、対物レンズ１５２から成る。
【００７７】
レーザダイオード１１１から放射されたレーザ光は、アナモフィックプリズム１１２、コリメータレンズ１１３を介して液晶収差補正素子１４１に入射する。このレーザ光は、液晶収差補正素子１４１により位相を変化され、１／４波長板１４２を介して立ち上げミラー１３２に入射する。そして立ち上げミラー１３２の反射面１３２ａにより偏向されて対物レンズ１５２に入射し、当該対物レンズ１５２の作用により光ディスク２００上で焦点を結ぶ。次いで、その戻り光がアナモフィックプリズム１１２のハーフミラー１１２ａにより反射されて、エラー検出用レンズ１１４を介してフォトセンサ１１５に受光される。フォトセンサ１１５に受光されたレーザ光は、上述の如く、光ディスク２００の情報信号、フォーカスエラー信号、及び、トラッキングエラー信号として利用される。
【００７８】
上記駆動制御回路は、トラッキングエラー信号に基づいて、図示しないアクチュエータにより対物レンズユニット１５０を矢印ＴＴ方向に微調整する。第二の実施例においても、対物レンズユニット１５０と液晶収差補正素子１４１との光学的な相対位置関係を光ディスク２００のトラッキング方向に関して一定に保つため、上記駆動制御回路が、液晶収差補正素子１４１の移動制御を行う。
【００７９】
図１０（ａ）及び（ｂ）に、対物レンズユニット１５０に対する液晶収差補正素子１４１の位置追従を説明するための図を示す。
【００８０】
上記駆動制御回路は、先ず、対物レンズユニット１５０の変位（位置情報）を反射型フォトインタラプタ等の図示しない検出手段の出力を基に算出する。次いで、算出された位置情報に基づいて図示しないアクチュエータに供給すべき電流値を設定する。このように設定された電流が上記アクチュエータに供給されると、液晶収差補正素子１４１が対物レンズユニット１５０と同一距離矢印ＴＴ方向に移動する。例えば図１０（ａ）に示されるように、対物レンズユニット１５０が光ディスク２００中心から矢印ＴＴ方向沿いに離れるように移動したとき、上記駆動制御回路の制御により、液晶収差補正素子１４１も、光ディスク２００中心から矢印ＴＴ方向沿いに離れるように同一距離移動する。また例えば図１０（ｂ）に示されるように、対物レンズユニット１５０が光ディスク２００中心に向かって矢印ＴＴ方向沿いに移動したとき、上記駆動制御回路の制御により、液晶収差補正素子１４１も、光ディスク２００中心に向かって矢印ＴＴ方向沿いに同一距離移動する。このようにして、対物レンズユニット１５０に対する液晶収差補正素子１４１の位置追従が実現される。
【００８１】
以上が本発明の実施の形態である。本発明はこれらの実施の形態に限定されるものではなく様々な範囲で変形が可能である。例えば本発明の実施例ではムービングコイル方式やムービングマグネット方式のアクチュエータが採用されているが、別の実施例では想定可能な他の様々なアクチュエータを採用することもできる。
【００８２】
また第一の実施例では収差補正ユニット４０を可動ユニット３０内部に配置しているが、別の実施例では、収差補正ユニット４０を固定ユニット１０内部に配置しても良い。この場合、可動ユニット３０の軽量化が実現される。
【００８３】
また第一の実施例では対物レンズユニット５０と収差補正ユニット４０を別々のハウジングで保持しているが、更に別の実施例では、第二の実施例のように、対物レンズユニット５０と収差補正ユニット４０を単一のハウジングで保持するよう構成しても良い。この場合、対物レンズユニット５０と収差補正ユニット４０を、互いの相対位置関係を一定に保ちつつ、単一のアクチュエータで動かすことができる。アクチュエータの数を削減できるため、製造コストが抑えられる。
【図面の簡単な説明】
【００８４】
【図１】本発明の第一の実施例の光情報処理装置の構成を示した斜視図である。
【図２】本発明の第一の実施例の光情報処理装置に備えられた固定ユニット及び可動ユニットの構成を示す。
【図３】本発明の第一の実施例の可動ユニットの斜視図を示す。
【図４】本発明の第一の実施例の光情報処理装置に備えられた可動ユニットの断面図を示す。
【図５】本発明の第一の実施例の可動ユニットに備えられたキャリッジ内部の各構成要素の分解斜視図を示す。
【図６】本発明の第一の実施例の可動ユニットに備えられたキャリッジ内部の各構成要素の分解斜視図を示す。
【図７】本発明の第一の実施例における、対物レンズユニットに対する液晶可動部の位置追従を説明するための図である。
【図８】本発明の第二の実施例の光情報処理装置の構成を示した図である。
【図９】本発明の第二の実施例の光情報処理装置の上面図を示す。
【図１０】本発明の第二の実施例における、対物レンズユニットに対する液晶収差補正素子の位置追従を説明するための図である。
【符号の説明】
【００８５】
３０、１３０  可動ユニット
４０  収差補正ユニット
４１、１４１  液晶収差補正素子
４０Ｍ  液晶可動部
５０、１５０  対物レンズユニット
５２、１５２  対物レンズ
６０  反射型フォトインタラプタ
１００、１００ｚ  光情報処理装置
【図１】
2007193856.tif 000003
【図２】
2007193856.tif 000004
【図３】
2007193856.tif 000005
【図４】
2007193856.tif 000006
【図５】
2007193856.tif 000007
【図６】
2007193856.tif 000008
【図７】
2007193856.tif 000009
【図８】
2007193856.tif 000010
【図９】
2007193856.tif 000011
【図１０】
2007193856.tif 000012